(57)【要約】  本発明は、電子デバイス及びリソース表示方法に関し、電子技術分野に属する。前記電子デバイスは、少なくとも一つのハードウェアインターフェース、制御チップ、及び、ディスプレイを備え、少なくとも一つのハードウェアインターフェースは、それぞれ、同一の信号源を接続するか、或いは、互いに異なる信号源を接続し、各々の信号源は、ハードウェアインターフェースを用いて、少なくとも一種のアプリケーションリソースを提供し、制御チップは、各々のハードウェアインターフェースにより提供する少なくとも一種のアプリケーションリソースを、分類統合し、また、所定のレイアウトによって配列された幾つかのカードエリアを含むメインインターフェースの表示信号を生成し、ディスプレイは、表示信号に基づいてメインインターフェースを表示する。本発明スマートテレビでのテレビ以外の他のヘルパーアプリケーションの使用率が非常に低いという問題を解決して、互いに異なるカードエリア内のアプリケーションリソースを使用するのに必要な操作階層が同じになって、各種類のアプリケーションリソースの使用率が相対的に平均になる効果を得た。【選択図】  図１
2016507917.tif 000002
【特許請求の範囲】
【請求項１】
少なくとも一つのハードウェアインターフェース、前記少なくとも一つのハードウェアインターフェースとそれぞれ電気的に接続された制御チップ、及び、前記制御チップと電気的に接続されたディスプレイを含み、
前記少なくとも一つのハードウェアインターフェースには、それぞれ、同一の信号源を接続するか、或いは、互いに異なる信号源を接続し、各々の信号源は、前記ハードウェアインターフェースを用いて、少なくとも一種のアプリケーションリソースを提供し、
前記制御チップは、前記各々のハードウェアインターフェースにより提供する前記少なくとも一種のアプリケーションリソースを分類統合し、また、所定のレイアウトによって配列された幾つかのカードエリアを含むメインインターフェースの表示信号を生成し、各々のカードエリアは、分類統合後の同類のアプリケーションリソースに対応され、互いに異なるカードエリアは、分類統合後の非同類アプリケーションリソースに対応され、
前記ディスプレイは、前記表示信号に基づいて前記メインインターフェースを表示させる
ことを特徴とする電子デバイス。
【請求項２】
前記制御チップは、
前記ハードウェアインターフェースにＴＶインターフェースが含まれた場合、前記ＴＶインターフェースにより提供するアプリケーションリソースを、同一類のアプリケーションリソースに区分し、
前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類し、
前記ハードウェアインターフェースにネットワークインターフェースが含まれる場合、前記ネットワークインターフェースにより提供する各種のアプリケーションリソースを、アプリケーションタイプによって、少なくとも同一類のアプリケーションリソースに分類し、
ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む
ことを特徴とする請求項１に記載の電子デバイス。
【請求項３】
前記制御チップは、
一つのカードエリアに対応するアプリケーションリソースが存在する場合、前記アプリケーションリソースに基づいて、前記アプリケーションリソースのポスターイメージ、内容、紹介情報及び更新情報の中の少なくとも一種が含まれた、前記カードエリア内の表示内容を特定し、
一つのカードエリアに対応するアプリケーションリソースが存在しないが、前記アプリケーションリソースに対応する前記ハードウェアインターフェースが信号源に接続された場合、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定し、
一つのカードエリアに対応するアプリケーションリソースが存在しないし、且つ、前記アプリケーションリソースに対応する前記ハードウェアインターフェースが信号源に接続されなかった場合、前記ハードウェアインターフェースに基づいて、前記ハードウェアインターフェースのインターフェースタイプ、及び、前記ハードウェアインターフェースが未接続状態にあることの中の少なくとも一種が含まれた、前記カードエリア内の表示内容を特定する
ことを特徴とする請求項２に記載の電子デバイス。
【請求項４】
前記制御チップは、さらに、前記メインインターフェース内の一つのカードエリアに対応する選択信号を受信し、前記選択信号に従って選択した前記カードエリアに対応するアプリケーションリソースに基づいて、第２表示信号を生成し、
前記ディスプレイは、さらに、前記第２表示信号に基づいて、前記メインインターフェースを前記カードエリアに対応する下位内容に切り替えて表示し、前記下位内容は、前記カードエリアに対応するアプリケーションリソース、前記カードエリアに対応するアプリケーションリソースのディレクトリ、或いは、前記カードエリアに対応する信号源の詳細情報を含む
ことを特徴とする請求項２又は３に記載の電子デバイス。
【請求項５】
前記制御チップは、さらに、前記カードエリアに対応する下位内容に対応するリターン信号を受信し、前記リターン信号に基づいて、所定のレイアウトによって配列された幾つかのカードエリアを含む前記メインインターフェースの表示信号を再び生成し、
前記ディスプレイは、さらに、前記表示信号に基づいて前記カードエリアに対応する下位内容を前記メインインターフェースに切り替えて表示する
ことを特徴とする請求項４に記載の電子デバイス。
【請求項６】
前記制御チップは、さらに、前記メインインターフェースに含まれたカードエリアが２ページ以上である場合、前記メインインターフェースに対応する取替え信号を受信し、前記取替え信号に基づいて第３表示信号を生成し、前記第３表示信号は、カードエリアの全部或いは一部を取替えた後のメインインターフェースの表示信号であり、
前記ディスプレイは、さらに、前記第３表示信号に基づいて、前記カードエリアの全部或いは一部を取替えた後のメインインターフェースを表示し、
ここで、前記取替え信号は、ページ変更信号或いはスライド信号である
ことを特徴とする請求項２又は３に記載の電子デバイス。
【請求項７】
前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む
ことを特徴とする請求項１、２、３又は５に記載の電子デバイス。
【請求項８】
請求項１乃至７のいずれかの１項に記載の電子デバイスに適用されるリソース表示方法であって、
前記少なくとも一つのハードウェアインターフェースを用いて、それぞれ、同一の信号源に接続させるか、或いは、互いに異なる信号源に接続させるステップと、
前記制御チップを用いて、前記各々のハードウェアインターフェースにより提供する前記少なくとも一種のアプリケーションリソースを、分類統合するステップと、
前記制御チップを用いて、所定のレイアウトによって配列された幾つかのカードエリアを含むメインインターフェースの表示信号を生成するステップと、
前記ディスプレイを用いて、前記表示信号に基づいて前記メインインターフェースを表示するステップとを含み、
前記各信号源は、それぞれ、少なくとも一種のアプリケーションリソースを提供し、
各々のカードエリアは、分類統合後の同類のアプリケーションリソースに対応され、互いに異なるカードエリアは、分類統合後の非同類アプリケーションリソースに対応される
ことを特徴とするリソース表示方法。
【請求項９】
前記制御チップを用いて、前記各々のハードウェアインターフェースにより提供する前記少なくとも一種のアプリケーションリソースを、分類統合するステップは、
前記ハードウェアインターフェースにＴＶインターフェースが含まれた場合、前記制御チップを用いて、前記ＴＶインターフェースにより提供するアプリケーションリソースを、同一類のアプリケーションリソースに区分するステップと、
前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記制御チップを用いて、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類するステップと、
前記ハードウェアインターフェースにネットワークインターフェースが含まれる場合、前記制御チップを用いて、前記ネットワークインターフェースにより提供する各種のアプリケーションリソースを、アプリケーションタイプによって、少なくとも同一類のアプリケーションリソースに分類するステップと
を含み、
ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む
ことを特徴とする請求項８に記載のリソース表示方法。
【請求項１０】
前記制御チップを用いて、所定のレイアウトによって配列された幾つかのカードエリアを含むメインインターフェースの表示信号を生成するステップは、
一つのカードエリアに対応するアプリケーションリソースが存在する場合、前記制御チップを用いて、前記アプリケーションリソースに基づいて、前記表示内容は、前記アプリケーションリソースのポスターイメージ、内容、紹介情報及び更新情報の中の少なくとも一種が含まれた、前記カードエリア内の表示内容を特定するステップと、
一つのカードエリアに対応するアプリケーションリソースが存在しないが、前記アプリケーションリソースに対応する前記ハードウェアインターフェースが信号源に接続された場合、前記制御チップを用いて、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定するステップと、
一つのカードエリアに対応するアプリケーションリソースが存在しないし、且つ、前記アプリケーションリソースに対応する前記ハードウェアインターフェースが信号源に接続されなかった場合、前記制御チップを用いて、前記ハードウェアインターフェースに基づいて、前記ハードウェアインターフェースのインターフェースタイプ、及び、前記ハードウェアインターフェースが未接続状態にあることの中の少なくとも一種を含まれた、前記カードエリア内の表示内容を特定するステップと
を含むことを特徴とする請求項９に記載のリソース表示方法。
【請求項１１】
前記制御チップを用いて、前記メインインターフェース内の一つのカードエリアに対応する選択信号を受信し、前記選択信号に従って選択した前記カードエリアに対応するアプリケーションリソースに基づいて、第２表示信号を生成するステップと、
前記ディスプレイを用いて、前記第２表示信号に基づいて、前記メインインターフェースを前記カードエリアに対応する下位内容に切り替えて表示するステップと
をさらに含み、
前記下位内容は、前記カードエリアに対応するアプリケーションリソース、前記カードエリアに対応するアプリケーションリソースのディレクトリ、或いは、前記カードエリアに対応する信号源の詳細情報を含む
ことを特徴とする請求項１０に記載のリソース表示方法。
【請求項１２】
前記制御チップを用いて、前記カードエリアに対応する下位内容に対応するリターン信号を受信し、前記リターン信号に基づいて、所定のレイアウトによって配列された幾つかのカードエリアを含む前記メインインターフェースの表示信号を再び生成するステップと、
前記ディスプレイを用いて、前記表示信号に基づいて前記カードエリアに対応する下位内容を前記メインインターフェースに切り替えて表示するステップと
をさらに含むことを特徴とする請求項１１に記載のリソース表示方法。
【請求項１３】
前記制御チップを用いて、前記メインインターフェースに含まれたカードエリアが２ページ以上である場合、前記メインインターフェースに対応する取替え信号を受信し、前記取替え信号に基づいて、カードエリアの全部或いは一部を取替えた後のメインインターフェースの表示信号である、第３表示信号を生成するステップと、
前記ディスプレイを用いて、前記第３表示信号に基づいて、前記カードエリアの全部或いは一部を取替えた後のメインインターフェースを表示するステップと
をさらに含み、
ここで、前記取替え信号は、ページ変更信号或いはスライド信号である
ことを特徴とする請求項９又は１０に記載のリソース表示方法。
【請求項１４】
前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む
ことを特徴とする請求項８、９、１０又は１２に記載のリソース表示方法。
【発明の詳細な説明】
【関連出願の相互参照】
【０００１】
本願は、出願番号がＣＮ２０１３１０３８９８６４．２であって、出願日が２０１３年８月３０日である中国特許出願に基づいて優先権を主張し、当該中国特許出願のすべての内容を援用する。
【技術分野】
【０００２】
本発明は、電子技術分野に関し、特に、電子デバイス及びリソース表示方法に関する。
【背景技術】
【０００３】
電子情報技術の発展に伴い、テレビは、最も一般的な家電製品として、ますます、インテリジェント化及びオールラウンド化に向かって発展している。
【０００４】
ＯＳがインストールされたスマートテレビにおいて、一般的なテレビアプリケーションによりユーザにテレビ番組の視聴を提供するほか、さらに、マイクロブログの照会、天気予報の照会、ゲームの運行、及び、インターネットの利用、等のヘルパーアプリケーションを提供する。同時に、スマートテレビは、さらに、サードパーティアプリケーションプログラムをダウンロード及びインストールすることにより、ヘルパーアプリケーションの拡大及びアップグレードを実現する。具体的には、ユーザは、スマートテレビをオンにした後に、一般的なテレビのように、直接、テレビ番組を視聴したりＴＶチャンネルを切り替えたりすることができる。ヘルパーアプリケーションを利用しようとする時には、ユーザは、スマートテレビ上のメニューを利用して、その中の一つのヘルパーアプリケーションを選択してオンにすることができる。
【０００５】
本発明を実現する過程において、発明者は、背景技術には少なくとも以下の問題が存在することを発見した。スマートテレビにおいて、テレビ以外の他のヘルパーアプリケーションはすべてメニューを通じて提供するので、あるヘルパーアプリケーションを使用する時の操作階層がより長い。多くのユーザは、スマートテレビを購入した後に、長い時間が過ぎても、スマートテレビにこんなヘルパーアプリケーションがあることを知らないし、或いは、ヘルパーアプリケーションがあることを知っていても、操作階層が長いため、ユーザは、こんなヘルパーアプリケーションをよく使用しないか、或いは、完全に使用しない。このため、こんなヘルパーアプリケーションの使用率が非常に低い。
【発明の概要】
【発明が解決しようとする課題】
【０００６】
スマートテレビ上テレビ以外の他のヘルパーアプリケーションをすべてメニューから提供するから、あるヘルパーアプリケーションを使用しようとする時の操作階層がより長いため、テレビ以外の他のアプリケーションの使用率が非常に低くなってしまう問題を解決するために、本発明の実施例は、電子デバイス及びリソース表示方法を提供する。その構成は、以下のとおりである。
【課題を解決するための手段】
【０００７】
本発明の実施例に係る第１態様によると、電子デバイスを提供する。前記電子デバイスは、少なくとも一つのハードウェアインターフェース、前記少なくとも一つのハードウェアインターフェースとそれぞれ電気的に接続された制御チップ、及び、前記制御チップと電気的に接続されたディスプレイを含み、前記少なくとも一つのハードウェアインターフェースは、それぞれ、同一の信号源を接続するか、或いは、互いに異なる信号源を接続し、各々の信号源は、前記ハードウェアインターフェースを用いて、少なくとも一種のアプリケーションリソースを提供し、前記制御チップは、前記各々のハードウェアインターフェースにより提供する前記少なくとも一種のアプリケーションリソースを分類統合し、また、所定のレイアウトによって配列された幾つかのカードエリアを含むメインインターフェースの表示信号を生成し、各々のカードエリアは、分類統合後の同類のアプリケーションリソースに対応され、互いに異なるカードエリアは、分類統合後の非同類アプリケーションリソースに対応され、前記ディスプレイは、前記表示信号に基づいて前記メインインターフェースを表示させる。
【０００８】
一実施例において、前記制御チップは、前記ハードウェアインターフェースにＴＶインターフェースが含まれた場合、前記ＴＶインターフェースにより提供するアプリケーションリソースを、同一類のアプリケーションリソースに区分し、前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類し、前記ハードウェアインターフェースにネットワークインターフェースが含まれる場合、前記ネットワークインターフェースにより提供する各種のアプリケーションリソースを、アプリケーションタイプによって、少なくとも同一類のアプリケーションリソースに分類し、ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【０００９】
一実施例において、前記制御チップは、一つのカードエリアに対応するアプリケーションリソースが存在する場合、前記アプリケーションリソースに基づいて、前記アプリケーションリソースのポスターイメージ、内容、紹介情報及び更新情報の中の少なくとも一種が含まれた、前記カードエリア内の表示内容を特定し、一つのカードエリアに対応するアプリケーションリソースが存在しないが、前記アプリケーションリソースに対応する前記ハードウェアインターフェースが信号源に接続された場合、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定し、一つのカードエリアに対応するアプリケーションリソースが存在しないし、且つ、前記アプリケーションリソースに対応する前記ハードウェアインターフェースが信号源に接続されなかった場合、前記ハードウェアインターフェースに基づいて、前記ハードウェアインターフェースのインターフェースタイプ、及び、前記ハードウェアインターフェースが未接続状態にあることの中の少なくとも一種が含まれた、前記カードエリア内の表示内容を特定する。
【００１０】
一実施例において、前記制御チップは、さらに、前記メインインターフェース内の一つのカードエリアに対応する選択信号を受信し、前記選択信号に従って選択した前記カードエリアに対応するアプリケーションリソースに基づいて、第２表示信号を生成し、前記ディスプレイは、さらに、前記第２表示信号に基づいて、前記メインインターフェースを前記カードエリアに対応する下位内容に切り替えて表示し、前記下位内容は、前記カードエリアに対応するアプリケーションリソース、前記カードエリアに対応するアプリケーションリソースのディレクトリ、或いは、前記カードエリアに対応する信号源の詳細情報を含む。
【００１１】
一実施例において、前記制御チップは、さらに、前記カードエリアに対応する下位内容に対応するリターン信号を受信し、前記リターン信号に基づいて、所定のレイアウトによって配列された幾つかのカードエリアを含む前記メインインターフェースの表示信号を再び生成し、前記ディスプレイは、さらに、前記表示信号に基づいて前記カードエリアに対応する下位内容を前記メインインターフェースに切り替えて表示する。
【００１２】
一実施例において、前記制御チップは、さらに、前記メインインターフェースに含まれたカードエリアが２ページ以上である場合、前記メインインターフェースに対応する取替え信号を受信し、前記取替え信号に基づいて第３表示信号を生成し、前記第３表示信号は、カードエリアの全部或いは一部を取替えた後のメインインターフェースの表示信号であり、前記ディスプレイは、さらに、前記第３表示信号に基づいて、前記カードエリアの全部或いは一部を取替えた後のメインインターフェースを表示し、ここで、前記取替え信号は、ページ変更信号或いはスライド信号である。
【００１３】
一実施例において、前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
【００１４】
本発明の実施例に係る第２態様によると、第１の態様或いは第１の態様の各々の好ましい実施例に記載の電子デバイスに適用される、リソース表示方法を提供する。
【００１５】
前記方法は、前記少なくとも一つのハードウェアインターフェースを用いて、それぞれ、同一の信号源に接続させるか、或いは、互いに異なる信号源に接続させるステップと、前記制御チップを用いて、前記各々のハードウェアインターフェースにより提供する前記少なくとも一種のアプリケーションリソースを、分類統合するステップと、前記制御チップを用いて、所定のレイアウトによって配列された幾つかのカードエリアを含むメインインターフェースの表示信号を生成するステップと、前記ディスプレイを用いて、前記表示信号に基づいて前記メインインターフェースを表示するステップとを含み、前記各信号源は、それぞれ、少なくとも一種のアプリケーションリソースを提供し、各々のカードエリアは、分類統合後の同類のアプリケーションリソースに対応され、互いに異なるカードエリアは、分類統合後の非同類アプリケーションリソースに対応される。
【００１６】
一実施例において、前記制御チップを用いて、前記各々のハードウェアインターフェースにより提供する前記少なくとも一種のアプリケーションリソースを、分類統合するステップは、前記ハードウェアインターフェースにＴＶインターフェースが含まれた場合、前記制御チップを用いて、前記ＴＶインターフェースにより提供するアプリケーションリソースを、同一類のアプリケーションリソースに区分するステップと、前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記制御チップを用いて、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類するステップと、前記ハードウェアインターフェースにネットワークインターフェースが含まれる場合、前記制御チップを用いて、前記ネットワークインターフェースにより提供する各種のアプリケーションリソースを、アプリケーションタイプによって、少なくとも同一類のアプリケーションリソースに分類するステップとを含み、ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００１７】
一実施例において、前記制御チップを用いて、所定のレイアウトによって配列された幾つかのカードエリアを含むメインインターフェースの表示信号を生成するステップは、一つのカードエリアに対応するアプリケーションリソースが存在する場合、前記制御チップを用いて、前記アプリケーションリソースに基づいて、前記表示内容は、前記アプリケーションリソースのポスターイメージ、内容、紹介情報及び更新情報の中の少なくとも一種が含まれた、前記カードエリア内の表示内容を特定するステップと、一つのカードエリアに対応するアプリケーションリソースが存在しないが、前記アプリケーションリソースに対応する前記ハードウェアインターフェースが信号源に接続された場合、前記制御チップを用いて、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定するステップと、一つのカードエリアに対応するアプリケーションリソースが存在しないし、且つ、前記アプリケーションリソースに対応する前記ハードウェアインターフェースが信号源に接続されなかった場合、前記制御チップを用いて、前記ハードウェアインターフェースに基づいて、前記ハードウェアインターフェースのインターフェースタイプ、及び、前記ハードウェアインターフェースが未接続状態にあることの中の少なくとも一種を含まれた、前記カードエリア内の表示内容を特定するステップとを含む。
【００１８】
一実施例において、前記方法は、前記制御チップを用いて、前記メインインターフェース内の一つのカードエリアに対応する選択信号を受信し、前記選択信号に従って選択した前記カードエリアに対応するアプリケーションリソースに基づいて、第２表示信号を生成するステップと、前記ディスプレイを用いて、前記第２表示信号に基づいて、前記メインインターフェースを前記カードエリアに対応する下位内容に切り替えて表示するステップとをさらに含み、前記下位内容は、前記カードエリアに対応するアプリケーションリソース、前記カードエリアに対応するアプリケーションリソースのディレクトリ、或いは、前記カードエリアに対応する信号源の詳細情報を含む。
【００１９】
一実施例において、前記方法は、前記制御チップを用いて、前記カードエリアに対応する下位内容に対応するリターン信号を受信し、前記リターン信号に基づいて、所定のレイアウトによって配列された幾つかのカードエリアを含む前記メインインターフェースの表示信号を再び生成するステップと、前記ディスプレイを用いて、前記表示信号に基づいて前記カードエリアに対応する下位内容を前記メインインターフェースに切り替えて表示するステップとをさらに含む。
【００２０】
一実施例において、前記方法は、前記制御チップを用いて、前記メインインターフェースに含まれたカードエリアが２ページ以上である場合、前記メインインターフェースに対応する取替え信号を受信し、前記取替え信号に基づいて、カードエリアの全部或いは一部を取替えた後のメインインターフェースの表示信号である、第３表示信号を生成するステップと、前記ディスプレイを用いて、前記第３表示信号に基づいて、前記カードエリアの全部或いは一部を取替えた後のメインインターフェースを表示するステップとをさらに含み、ここで、前記取替え信号は、ページ変更信号或いはスライド信号である。
【００２１】
一実施例において、前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
【発明の効果】
【００２２】
本発明の実施例によって提供する構成の有益な効果は以下のとおりである。
【００２３】
互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００２４】
以上の統括な記述と以下の細部記述は、ただ例示的なものであり、本発明を制限するものではないと、理解するべきである。
【図面の簡単な説明】
【００２５】
本発明の実施例の構成をもっと詳しく説明するために、以下、実施例の説明に必要な図面を簡単に説明する。当然ながら、以下に記載の図面は、ただ、本発明の実施例の幾つかの例であり、当業者が創造的労働をせずにこれらに基づいて他の図面を得ることができることである。
【００２６】
ここでの図面は、明細書に合併されて本明細書の一部を構成して本発明に合致する実施例を示し、明細書とともに本発明の原理を説明するのに用いられる。
【００２７】
【図１】図１は、例示的な一実施例に係る電子デバイスの構成を示す模式図である。
【図２Ａ】図２Ａは、例示的な一実施例に係る電子デバイスの構成を示す模式図である。
【図２Ｂ】図２Ｂは、図２Ａに示した実施例によって提供する電子デバイスにより表示させたメインインターフェースを示すインターフェース模式図である。
【図２Ｃ】図２Ｃは、図２Ａに示した実施例によって提供する電子デバイスにより表示させた下位内容を示すインターフェース模式図である。
【図２Ｄ】図２Ｄは、図２Ａに示した実施例によって提供する電子デバイスにより表示させた取替え後のメインインターフェースを示すインターフェース模式図である。
【図２Ｅ】図２Ｅは、図２Ａに示した実施例によって提供する電子デバイスにより表示させた取替え後の別のメインインターフェースを示すインターフェース模式図である。
【図３】図３は、例示的な一実施例に係るリソース表示方法を示すフローチャートである。
【図４】図４は、例示的な一実施例に係るリソース表示方法を示すフローチャートである。
【発明を実施するための形態】
【００２８】
以下、本発明の目的、技術案及び利点をさらに明確にするために、図面を参照しながら本発明の実施例をさらに詳しく説明する。
【００２９】
図１は、本発明の一実施例によって提供する電子デバイスの構成を示す模式図である。当該電子デバイスは、テレビ、モニター、一体型パソコン、或いは、ディスプレイプラットフォーム、等であってもよい。当該電子デバイスは、少なくとも一つのハードウェアインターフェース１２０、少なくとも一つのハードウェアインターフェース１２０とそれぞれ電気的に接続された制御チップ１４０、及び、制御チップ１４０と電気的に接続されたディスプレイ１６０を備える。
【００３０】
少なくとも一つのハードウェアインターフェース１２０は、それぞれ、同一の信号源に接続されるか、或いは、互いに異なる信号源に接続され、各々の信号源は、ハードウェアインターフェース１２０を介して少なくとも一種のアプリケーションリソースを提供する。
【００３１】
制御チップ１４０は、各々のハードウェアインターフェース１２０により提供する少なくとも一種のアプリケーションリソースを、分類統合し、また、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００３２】
ディスプレイ１６０は、表示信号に基づいて当該メインインターフェースを表示する。
【００３３】
上記により、本実施例によって提供する電子デバイスによると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００３４】
図２Ａは、本発明の他の一実施例によって提供する電子デバイスの構成を示す模式図である。本実施例においては、当該電子デバイスが一つのスマートテレビである例を挙げて、説明する。当該電子デバイスは、少なくとも一つのハードウェアインターフェース１２０、少なくとも一つのハードウェアインターフェース１２０とそれぞれ電気的に接続された制御チップ１４０、及び、制御チップ１４０と電気的に接続されたディスプレイ１６０を含む。
【００３５】
少なくとも一つのハードウェアインターフェース１２０は、それぞれ、同一の信号源に接続されるか、或いは、互いに異なる信号源に接続され、各々の信号源は、ハードウェアインターフェース１２０を介して少なくとも一種のアプリケーションリソースを提供する。
【００３６】
当該ハードウェアインターフェース１２０は、ＴＶ（Ｔｅｌｅｖｉｓｉｏｎ、テレビ）インターフェース、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、ハイビジョンマルチメディア）インターフェース、Ｓ端子インターフェース、ＡＶ（Ａｕｄｉｏ  ＆  Ｖｉｄｅｏ、音映像）インターフェース、ＶＧＡ（Ｖｉｄｅｏ  Ｇｒａｐｈｉｃｓ  Ａｒｒａｙ、ビデオグラフィックスアレイ）インターフェース、ＤＶＩ（Ｄｉｇｉｔａｌ  Ｖｉｓｕａｌ  Ｉｎｔｅｒｆａｃｅ、デジタルビデオインターフェース）インターフェース、ＤＰ（Ｄｉｓｐｌａｙ  Ｐｏｒｔ、ディスプレイポート）インターフェース、ＵＳＢ（Ｕｎｉｖｅｒｓａｌ  Ｓｅｒｉａｌ  Ｂｕｓ、ユニバーサル・シリアル・バス）インターフェース、及び、ネットワークインターフェースの中の少なくとも一種を含む。ネットワークインターフェースは、さらに、ＷＩＦＩ（Ｗｉｒｅｌｅｓｓ  Ｆｉｄｅｌｉｔｙ、ワイヤレス・フィディリティー）無線ネットワークインターフェース、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）ネットワークインターフェース、イーサネット有線ネットワークインターフェース、及び、光ファイバネットワークインターフェースの中の少なくとも一種を含む。本実施例において、電子デバイスがスマートテレビであるため、ハードウェアインターフェース１２０は、一般的に、ＴＶインターフェース及びネットワークインターフェースを含む上に、さらに、幾つかの他のハードウェアインターフェースを含み、且つ、各種のハードウェアインターフェース１２０は、一つ以上であり、例えば、図面に示したＨＤＭＩインターフェースは、二つである。記述の便利をために、当該電子デバイスが上記の全部のハードウェアインターフェースを含む例を説明する。
【００３７】
ＴＶインターフェースに接続される信号源は、一般的に、ケーブルテレビであり、当該ケーブルテレビは、ＴＶインターフェースを介して電子デバイスに、テレビアプリケーションリソースを提供する。
【００３８】
ＨＤＭＩインターフェース、Ｓ端子インターフェース、ＡＶインターフェース、ＶＧＡインターフェース及びＤＶＩインターフェースに接続される信号源は、一般的に、ＨＤプレーヤー、カラオケ機、セットトップボックス、ＤＶＤ／ＶＣＤ、コンピュータ、タブレットＰＣ及びゲーム機の中の任意の一つである。こんな信号源により提供するローカル再生リソースは、たとえば、ＨＤ映画及びミュージックリソースがある。
【００３９】
ＵＳＢインターフェースに接続される信号源は、一般的に、Ｕディスクであり、ＨＤプレーヤー、カラオケ機、セットトップボックス、ＤＶＤ／ＶＣＤ、コンピュータ、タブレットＰＣ及びゲーム機の中の任意の一つである可能性もある。こんな信号源は、ローカル再生リソースを提供する。
【００４０】
ネットワークインターフェースに接続される信号源は、一般的に、一つの或いは複数の遠隔サーバであり、こんな遠隔サーバは、一般的に、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を提供する。
【００４１】
即ち、アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００４２】
制御チップ１４０は、一般的に、プロセッサ１４２及びメモリ１４４を含み、さらに、オプションとして、テレビ処理チップ１４６、及び、音映像デコーディングチップ１４８のようなヘルパーチップを含んでもよい。メモリ１４４には、ＯＳ（オペレーティング・システム）、一つの或いは複数のプログラムが記憶される。当該ＯＳは、予め設定したプログラムインターフェース、及び、サードパーティプログラムインターフェースを提供する。予め設定したプログラムインターフェースは、他のメーカーに提供して、カスタムメイドアプリケーションリソースを開発するようにするためのインターフェースであり、サードパーティプログラムインターフェースは、サードパーティ研究者にオープン的に提供して、サードパーティアプリケーションリソースを開発するようにするためのインターフェースである。
【００４３】
制御チップ１４０は、各々のハードウェアインターフェース１２０により提供する少なくとも一種のアプリケーションリソースを、分類統合する。電子デバイスに含まれたハードウェアインターフェースによる分類統合は、以下のとおりである。
【００４４】
制御チップ１４０は、ハードウェアインターフェースがＴＶインターフェースを含む時に、ＴＶインターフェースにより提供するアプリケーションリソースを、同一類のアプリケーションリソースに区分する。例えば、制御チップ１４０は、ＴＶインターフェースにより提供するテレビアプリケーションリソースを、同一類のアプリケーションリソースに区分する。
【００４５】
制御チップ１４０は、さらに、ハードウェアインターフェースがＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種を含む時に、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースにより提供するアプリケーションリソースを、それぞれ、同一類のアプリケーションリソースに分類するか、或いは、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースを介して提供する各種のアプリケーションリソースを、同一類のアプリケーションリソースに分類する。例えば、制御チップは、これらインターフェースにより提供する互いに異なるローカル再生リソースを、同一類のアプリケーションリソースに分類する。
【００４６】
制御チップ１４０は、さらに、ハードウェアインターフェースがネットワークインターフェースを含む時に、ネットワークインターフェースにより提供する各種のアプリケーションリソースを、アプリケーションタイプによって、少なくとも同一類のアプリケーションリソースに分類する。例えば、ゲームアプリケーションリソースを、同一類のアプリケーションリソースに区分し、テーマアプリケーションリソースを、同一類のアプリケーションリソースに区分し、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースを、同一類のアプリケーションリソースに区分する。
【００４７】
制御チップ１４０は、さらに、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００４８】
例えば、図２Ｂに示したメインインターフェースには、行と列に沿って、整列して配列した８個のカードエリアが含まれる。この中、５個のカードエリアは、列に沿って、左方に整列して配列され、他の３個のカードエリアは、左方の１番目のカードエリアと、行に沿って、右方に、順次に整列して配列される。カードエリア２０１は、テレビアプリケーションリソースに対応され、カードエリア２０２は、ＨＤＭＩ１インターフェースにより提供するローカル再生アプリケーションリソースに対応され、カードエリア２０３は、ＨＤＭＩ２インターフェースにより提供するローカル再生アプリケーションリソースに対応され、カードエリア２０４は、ＡＶインターフェースにより提供するローカル再生アプリケーションリソースに対応され、カードエリア２０５は、ＵＳＢインターフェースにより提供するローカル再生アプリケーションリソースに対応され、カードエリア２０６は、ネットワークインターフェースにより提供するオンライン映画テレビアプリケーションリソースに対応され、カードエリア２０７は、ネットワークインターフェースにより提供するゲームアプリケーションリソースに対応され、カードエリア２０８は、ネットワークインターフェースにより提供するシステムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースに対応される。
【００４９】
制御チップ１４０は、さらに、一つのカードエリアに対応するアプリケーションリソースが存在する場合、アプリケーションリソースに基づいて、カードエリア内の表示内容を特定し、表示内容は、アプリケーションリソースのポスターイメージ、内容、紹介情報及び更新情報の中の少なくとも一種を含む。例えば、ＴＶインターフェースがケーブルテレビに接続されると、カードエリア２０１に対応するテレビアプリケーションリソースが存在する場合、制御チップ１４０は、カードエリア２０１内の表示内容を、テレビアプリケーションリソースの内容として特定する。即ち、実際のテレビ画面として特定する。また、例えば、ネットワークインターフェースが遠隔サーバに接続された場合、カードエリア２０６に対応するオンライン映画テレビアプリケーションリソースが存在する場合、カードエリア内の表示内容に、オンライン映画テレビのポスターイメージ、紹介情報である「三不探偵」、及び、更新情報である「８」が含まれるとして特定する。
【００５０】
制御チップ１４０は、さらに、一つのカードエリアに対応するアプリケーションリソースが存在しないが、アプリケーションリソースに対応するハードウェアインターフェースが信号源に接続された場合、信号源に基づいて、カードエリア内の表示内容を特定し、表示内容には、信号源が接続状態であること、信号源の記述情報、信号源のデバイスタイプ、信号源のデバイス名称、及び、信号源の動作状態の中の少なくとも一種を含む。例えば、ＨＤＭＩ１インターフェースが一つのＨＤプレーヤーに接続されたが、ＨＤプレーヤーがいずれのアプリケーションリソースも出力しない場合、制御チップ１４０は、カードエリア２０２の透明度を０に設定することにより、ＨＤＭＩ１インターフェースとＨＤプレーヤーとが接続状態にあることを示し、また、カードエリア２０２内にＨＤプレーヤーのデバイス名称を表示する。
【００５１】
制御チップ１４０は、さらに、一つのカードエリアに対応するアプリケーションリソースが存在しないし、且つ、アプリケーションリソースに対応するハードウェアインターフェースが信号源に接続されなかった場合、ハードウェアインターフェースに基づいて、カードエリア内の表示内容を特定し、表示内容には、ハードウェアインターフェースのインターフェースタイプ、及び、ハードウェアインターフェースが未接続状態にあることの中の少なくとも一種が含まれる。例えば、ＨＤＭＩ２インターフェースが信号源に接続されなかった場合、制御チップ１４０は、カードエリア２０３の透明度を７０％（図面では点線で示す）に設定することにより、ＨＤＭＩ２インターフェースが未接続状態にあることを示し、また、カードエリア２０３内にＨＤＭＩインターフェースのインターフェースタイプを表示する。
【００５２】
ディスプレイ１６０は、制御チップ１４０の表示信号に基づいて、当該メインインターフェースを表示する。表示されたメインインターフェースは、図２Ｂに示したとおりである。
【００５３】
制御チップ１４０は、さらに、メインインターフェース内の一つのカードエリアに対応する選択信号を受信し、選択信号に従って選択したカードエリアに対応するアプリケーションリソースに基づいて、第２表示信号を生成する。ディスプレイ１６０は、さらに、第２表示信号に基づいて、メインインターフェースをカードエリアに対応する下位内容に切り替えて表示し、下位内容には、カードエリアに対応するアプリケーションリソース、カードエリアに対応するアプリケーションリソースのディレクトリ、或いは、カードエリアに対応する信号源の詳細情報が含まれる。
【００５４】
例えば、制御チップ１４０は、ユーザが選択したカードエリア２０１の選択信号を受信した後に、テレビアプリケーションリソースが一つしかない場合、制御チップ１４０が第２表示信号を生成した後に、ディスプレイ１６０により第２表示信号に基づいて、直接、テレビアプリケーションリソースを表示する。図２Ｃに示したように、また、例えば、制御チップ１４０は、ユーザが選択したカードエリア２０６の選択信号を受信した後に、カードエリア２０６に対応するオンライン映画テレビアプリケーションリソースが少なくとも２個ある場合、制御チップ１４０が第２表示信号を生成した後に、ディスプレイ１６０により第２表示信号に基づいてオンライン映画テレビアプリケーションリソースのディレクトリを表示する。また、例えば、制御チップ１４０は、ユーザが選択したカードエリア２０５の選択信号を受信した後に、カードエリア２０５に対応するローカル再生アプリケーションリソースが複数ある場合、制御チップ１４０は第２表示信号を生成した後に、ディスプレイ１６０により第２表示信号に基づいてＵディスク内のファイルディレクトリを表示する。
【００５５】
当然ながら、制御チップ１４０は、さらに、カードエリアに対応する下位内容に対応するリターン信号を受信し、リターン信号に基づいて、再び、所定のレイアウトによって配列された幾つかのカードエリアを含むメインインターフェースの表示信号を生成する。ディスプレイ１６０は、さらに、表示信号に基づいて、カードエリアに対応する下位内容を、メインインターフェースに切り替えて表示する。
【００５６】
例えば、下位内容の表示内容がテレビアプリケーションリソースである場合、制御チップ１４０によりリターン信号を受信した場合には、制御チップ１４０は、リターン信号に基づいて、再び、所定のレイアウトによって配列された幾つかのカードエリアを含むメインインターフェースの表示信号を生成する。ディスプレイ１６０は、さらに、表示信号に基づいて、カードエリアに対応する下位内容を、メインインターフェースに切り替えて表示する。当該メインインターフェースは、図２Ｂを参照してもよい。
【００５７】
また、メインインターフェースのカードエリアが多すぎると、メインインターフェース上に全部のカードエリアを表示できない。即ち、メインインターフェースに含まれたカードエリアが、２ページ以上である場合には、以下のように処理する。
【００５８】
制御チップ１４０は、さらに、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。ここで、取替え信号は、ページ変更信号或いはスライド信号である。
【００５９】
ディスプレイ１６０は、さらに、第３表示信号に基づいて、カードエリアの全部或いは一部を取替えた後のメインインターフェースを表示する。
【００６０】
例えば、取替え信号がページ変更信号である場合、制御チップ１４０は、取替え信号に基づいて、第３表示信号を生成し、ディスプレイ１６０は、図２Ｄに示したように、第３表示信号に基づいて、全部のカードエリアを取替えた後のメインインターフェースを表示する。さらに、例えば、取替え信号がスライド信号である場合、制御チップ１４０は、取替え信号に基づいて第３表示信号を生成し、ディスプレイ１６０は、図２Ｅに示したように、第３表示信号に基づいて、一部のカードエリアを取替えた後のメインインターフェースを表示する。
【００６１】
上記により、本実施例によって提供する電子デバイスによると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００６２】
本実施例によって提供する電子デバイスによると、メインインターフェースの一つのカードエリアが選択された後に、当該カードエリアの下位内容を表示し、また、当該カードエリアの下位内容を表示する時にリターン信号を受信した後に、いつも、幾つかのカードエリアが含まれたメインインターフェースにリターンすることにより、各々のカードエリアにより提供するアプリケーションリソースがユーザに選択されて使用される確率が平均になるようにして、各種類のアプリケーションリソースの使用率も相対的に平均になるようにする効果を得た。
【００６３】
図３は、本発明の一実施例によって提供するリソース表示方法を示すフローチャートである。当該リソース表示方法は、図１或いは図２に示された電子デバイスに適用される例を挙げて、本実施例を説明する。当該リソース表示方法は、以下のステップを含む。
【００６４】
ステップ３０２において、少なくとも一つのハードウェアインターフェースを用いて、それぞれ、同一の信号源に接続させるか、或いは、互いに異なる信号源に接続させる。各信号源は、それぞれ、少なくとも一種のアプリケーションリソースを提供する。
【００６５】
ステップ３０４において、制御チップを用いて、各々のハードウェアインターフェースにより提供する少なくとも一種のアプリケーションリソースを、分類統合する。
【００６６】
ステップ３０６において、制御チップを用いて、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００６７】
ステップ３０８において、ディスプレイを用いて、当該表示信号に基づいて当該メインインターフェースを表示する。
【００６８】
上記により、本実施例によって提供するリソース表示方法によると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００６９】
図４は、本発明のもう一実施例によって提供するリソース表示方法を示すフローチャートである。当該リソース表示方法を図１或いは図２に示された電子デバイスに適用する例を挙げて、本実施例を説明する。当該リソース表示方法は、以下のステップを含む。
【００７０】
ステップ４０１において、少なくとも一つのハードウェアインターフェースを用いて、それぞれ、同一の信号源に接続させるか、或いは、互いに異なる信号源に接続させる。各々の信号源は、それぞれ、少なくとも一種のアプリケーションリソースを提供する。
【００７１】
電子デバイスを、少なくとも一つのハードウェアインターフェースを用いて、それぞれ、同一の信号源に接続させるか、或いは、互いに異なる信号源に接続させる。
【００７２】
当該ハードウェアインターフェースは、ＴＶインターフェース、ＨＤＭＩインターフェース、Ｓ端子インターフェース、ＡＶ（Ａｕｄｉｏ  ＆  Ｖｉｄｅｏ、音映像）インターフェース、ＶＧＡインターフェース、ＤＶＩインターフェース、ＤＰインターフェース、ＵＳＢインターフェース、及び、ネットワークインターフェースの中の少なくとも一種を含む。ネットワークインターフェースは、さらに、ＷＩＦＩ（Ｗｉｒｅｌｅｓｓ  Ｆｉｄｅｌｉｔｙ、ワイヤレス・フィディリティー）無線ネットワークインターフェース、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）ネットワークインターフェース、イーサネット有線ネットワークインターフェース、及び、光ファイバネットワークインターフェースの中の少なくとも一種を含む。
【００７３】
信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
【００７４】
ステップ４０２、制御チップを用いて、各々のハードウェアインターフェースにより提供する少なくとも一種のアプリケーションリソースを、分類統合する。
【００７５】
電子デバイスは、制御チップを用いて、各々のハードウェアインターフェースにより提供する少なくとも一種のアプリケーションリソースを、分類統合する。本ステップは、以下のサブステップを含んでもよい。
【００７６】
ハードウェアインターフェースにＴＶインターフェースが含まれた場合、電子デバイスは、制御チップを用いて、ＴＶインターフェースにより提供するアプリケーションリソースを、同一類のアプリケーションリソースに区分する。
【００７７】
ハードウェアインターフェースにＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種が含まれた場合、電子デバイスは、制御チップを用いて、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースにより提供するアプリケーションリソースを、それぞれ、同一類のアプリケーションリソースに分類するか、或いは、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースから提供する各種のアプリケーションリソースを、同一類のアプリケーションリソースに分類する。
【００７８】
ハードウェアインターフェースにネットワークインターフェースが含まれた場合、電子デバイスは、制御チップを用いて、ネットワークインターフェースにより提供する各種のアプリケーションリソースを、アプリケーションタイプによって、少なくとも同一類のアプリケーションリソースに分類する。
【００７９】
ここで、アプリケーションリソースのタイプには、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００８０】
ステップ４０３において、制御チップを用いて、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００８１】
電子デバイスは、制御チップを用いて、所定のレイアウトによって配列された幾つかのカードエリアを含むメインインターフェースの表示信号を生成する。本ステップは、以下のサブステップを含んでもよい。
【００８２】
一つのカードエリアに対応するアプリケーションリソースが存在する場合、電子デバイスは、制御チップを用いて、アプリケーションリソースに基づいて、当該カードエリア内の表示内容を特定する。当該表示内容には、アプリケーションリソースのポスターイメージ、内容、紹介情報及び更新情報の中の少なくとも一種が含まれる。
【００８３】
一つのカードエリアに対応するアプリケーションリソースが存在しないが、アプリケーションリソースに対応するハードウェアインターフェースが信号源に接続された場合、電子デバイスは、制御チップを用いて、信号源に基づいてカードエリア内の表示内容を特定し、当該表示内容には、信号源が接続状態にあること、信号源の記述情報、信号源のデバイスタイプ、信号源のデバイス名称、及び、信号源の動作状態の中の少なくとも一種が含まれる。
【００８４】
一つのカードエリアに対応するアプリケーションリソースが存在しないし、且つ、アプリケーションリソースに対応するハードウェアインターフェースが信号源に接続されなかった場合、電子デバイスは、制御チップを用いて、ハードウェアインターフェースに基づいて、カードエリア内の表示内容を特定し、表示内容には、ハードウェアインターフェースのインターフェースタイプ、及び、ハードウェアインターフェースが未接続状態にあることの中の少なくとも一種が含まれる。
【００８５】
ステップ４０４において、ディスプレイを用いて、表示信号に基づいてメインインターフェースを表示する。
【００８６】
電子デバイスは、ディスプレイを用いて、表示信号に基づいてメインインターフェースを表示する。
【００８７】
ステップ４０５において、制御チップを用いて、メインインターフェース内の一つのカードエリアに対応する選択信号を受信し、当該選択信号によって選択したカードエリアに対応するアプリケーションリソースに基づいて、第２表示信号を生成する。
【００８８】
電子デバイスは、さらに、制御チップを用いて、メインインターフェース内の一つのカードエリアに対応する選択信号を受信し、当該選択信号によって選択したカードエリアに対応するアプリケーションリソースに基づいて、第２表示信号を生成する。
【００８９】
ステップ４０６において、ディスプレイを用いて、第２表示信号に基づいて、メインインターフェースを、カードエリアに対応する下位内容に切り替えて表示する。
【００９０】
電子デバイスは、ディスプレイを用いて、第２表示信号に基づいて、メインインターフェースを、カードエリアに対応する下位内容に切り替えて表示し、当該下位内容には、カードエリアに対応するアプリケーションリソース、カードエリアに対応するアプリケーションリソースのディレクトリ、或いは、カードエリアに対応する信号源の詳細情報が含まれる。
【００９１】
ステップ４０７において、制御チップを用いて、カードエリアに対応する下位内容に対応するリターン信号を受信し、リターン信号に基づいて、再び、所定のレイアウトによって配列された幾つかのカードエリアを含むメインインターフェースの表示信号を生成する。
【００９２】
電子デバイスは、制御チップを用いて、カードエリアに対応する下位内容に対応するリターン信号を受信し、リターン信号に基づいて、再び、所定のレイアウトによって配列された幾つかのカードエリアを含むメインインターフェースの表示信号を生成する。
【００９３】
ステップ４０８において、ディスプレイを用いて、表示信号に基づいて、カードエリアに対応する下位内容を、メインインターフェースに切り替えて表示する。
【００９４】
電子デバイスは、ディスプレイを用いて、表示信号に基づいて、カードエリアに対応する下位内容をメインインターフェースに切り替えて表示する。
【００９５】
ステップ４０９において、制御チップを用いて、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。
【００９６】
電子デバイスは、制御チップを用いて、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。
【００９７】
ここで、取替え信号は、ページ変更信号或いはスライド信号である。
【００９８】
ステップ４１０において、ディスプレイを用いて、第３表示信号に基づいて、カードエリアの全部或いは一部を取替えた後のメインインターフェースを表示する。
【００９９】
電子デバイスは、ディスプレイを用いて、第３表示信号に基づいて、カードエリアの全部或いは一部を取替えた後のメインインターフェースを表示する。
【０１００】
ステップ４０９とステップ４１０とを、ステップ４０４の後に実行してもよく、本実施例においては、ただ、これら二つのステップをステップ４０８の後に実行する例を挙げて説明したことを、説明する必要がある。
【０１０１】
上記により、本実施例によって提供するリソース表示方法によると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【０１０２】
本実施例によって提供するリソース表示方法によると、メインインターフェースの一つのカードエリアが選択された後に、当該カードエリアの下位内容を表示し、また、当該カードエリアの下位内容を表示する時にリターン信号を受信した後に、いつも、幾つかのカードエリアが含まれたメインインターフェースにリターンすることにより、各々のカードエリアにより提供するアプリケーションリソースがユーザに選択されて使用される確率が平均になるようにして、各種類のアプリケーションリソースの使用率も相対的に平均になるようにする効果を得た。
【０１０３】
上記の本発明に係る実施例の番号は、ただ、記述するためのものであり、実施例の優劣を代表しない。
【０１０４】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、リードオンリーメモリ、磁気ディスク又は光ディスク等が挙げられると、理解するべきである。
【０１０５】
上述の内容は本発明の比較的適切な実施例に過ぎず、本発明を制限するものではなく、本発明の旨及び原則内で行う如何なる修正、同等の置換、改善等は本発明の保護範囲内に含まれる。
【図１】
2016507917.tif 000003
【図２Ａ】
2016507917.tif 000004
【図２Ｂ】
2016507917.tif 000005
【図２Ｃ】
2016507917.tif 000006
【図２Ｄ】
2016507917.tif 000007
【図２Ｅ】
2016507917.tif 000008
【図３】
2016507917.tif 000009
【図４】
2016507917.tif 000010
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
少なくとも一つのハードウェアインターフェース、前記少なくとも一つのハードウェアインターフェースとそれぞれ電気的に接続された制御チップ、及び、前記制御チップと電気的に接続されたディスプレイを含み、
前記少なくとも一つのハードウェアインターフェースには、それぞれ、同一の信号源を接続するか、或いは、互いに異なる信号源を接続し、各々の信号源は、前記ハードウェアインターフェースを用いて、少なくとも一種のアプリケーションリソースを提供し、
前記制御チップは、前記各々のハードウェアインターフェースにより提供する前記少なくとも一種のアプリケーションリソースを分類統合し、また、所定のレイアウトによって配列された幾つかのカードエリアを含むメインインターフェースの表示信号を生成し、各々のカードエリアは、分類統合後の同類のアプリケーションリソースに対応され、互いに異なるカードエリアは、分類統合後の非同類アプリケーションリソースに対応され、
前記ディスプレイは、前記表示信号に基づいて前記メインインターフェースを表示させる
ことを特徴とする電子デバイス。
【請求項２】
前記制御チップは、
前記ハードウェアインターフェースにＴＶインターフェースが含まれた場合、前記ＴＶインターフェースにより提供するアプリケーションリソースを、同一類のアプリケーションリソースに区分し、
前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類し、
前記ハードウェアインターフェースにネットワークインターフェースが含まれる場合、前記ネットワークインターフェースにより提供する各種のアプリケーションリソースを、アプリケーションタイプによって、少なくとも同一類のアプリケーションリソースに分類し、
ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む
ことを特徴とする請求項１に記載の電子デバイス。
【請求項３】
前記制御チップは、
一つのカードエリアに対応するアプリケーションリソースが存在する場合、前記アプリケーションリソースに基づいて、前記アプリケーションリソースのポスターイメージ、内容、紹介情報及び更新情報の中の少なくとも一種が含まれた、前記カードエリア内の表示内容を特定し、
一つのカードエリアに対応するアプリケーションリソースが存在しないが、前記アプリケーションリソースに対応する前記ハードウェアインターフェースが信号源に接続された場合、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定し、
一つのカードエリアに対応するアプリケーションリソースが存在しないし、且つ、前記アプリケーションリソースに対応する前記ハードウェアインターフェースが信号源に接続されなかった場合、前記ハードウェアインターフェースに基づいて、前記ハードウェアインターフェースのインターフェースタイプ、及び、前記ハードウェアインターフェースが未接続状態にあることの中の少なくとも一種が含まれた、前記カードエリア内の表示内容を特定する
ことを特徴とする請求項２に記載の電子デバイス。
【請求項４】
前記制御チップは、さらに、前記メインインターフェース内の一つのカードエリアに対応する選択信号を受信し、前記選択信号に従って選択した前記カードエリアに対応するアプリケーションリソースに基づいて、第２表示信号を生成し、
前記ディスプレイは、さらに、前記第２表示信号に基づいて、前記メインインターフェースを前記カードエリアに対応する下位内容に切り替えて表示し、前記下位内容は、前記カードエリアに対応するアプリケーションリソース、前記カードエリアに対応するアプリケーションリソースのディレクトリ、或いは、前記カードエリアに対応する信号源の詳細情報を含む
ことを特徴とする請求項２又は３に記載の電子デバイス。
【請求項５】
前記制御チップは、さらに、前記カードエリアに対応する下位内容に対応するリターン信号を受信し、前記リターン信号に基づいて、所定のレイアウトによって配列された幾つかのカードエリアを含む前記メインインターフェースの表示信号を再び生成し、
前記ディスプレイは、さらに、前記表示信号に基づいて前記カードエリアに対応する下位内容を前記メインインターフェースに切り替えて表示する
ことを特徴とする請求項４に記載の電子デバイス。
【請求項６】
前記制御チップは、さらに、前記メインインターフェースに含まれたカードエリアが２ページ以上である場合、前記メインインターフェースに対応する取替え信号を受信し、前記取替え信号に基づいて第３表示信号を生成し、前記第３表示信号は、カードエリアの全部或いは一部を取替えた後のメインインターフェースの表示信号であり、
前記ディスプレイは、さらに、前記第３表示信号に基づいて、前記カードエリアの全部或いは一部を取替えた後のメインインターフェースを表示し、
ここで、前記取替え信号は、ページ変更信号或いはスライド信号である
ことを特徴とする請求項２又は３に記載の電子デバイス。
【請求項７】
前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む
ことを特徴とする請求項１、２、３又は５に記載の電子デバイス。
【請求項８】
請求項１乃至７のいずれかの１項に記載の電子デバイスに適用されるリソース表示方法であって、
前記少なくとも一つのハードウェアインターフェースを用いて、それぞれ、同一の信号源に接続させるか、或いは、互いに異なる信号源に接続させるステップと、
前記制御チップを用いて、前記各々のハードウェアインターフェースにより提供する前記少なくとも一種のアプリケーションリソースを、分類統合するステップと、
前記制御チップを用いて、所定のレイアウトによって配列された幾つかのカードエリアを含むメインインターフェースの表示信号を生成するステップと、
前記ディスプレイを用いて、前記表示信号に基づいて前記メインインターフェースを表示するステップとを含み、
前記各信号源は、それぞれ、少なくとも一種のアプリケーションリソースを提供し、
各々のカードエリアは、分類統合後の同類のアプリケーションリソースに対応され、互いに異なるカードエリアは、分類統合後の非同類アプリケーションリソースに対応される
ことを特徴とするリソース表示方法。
【請求項９】
前記制御チップを用いて、前記各々のハードウェアインターフェースにより提供する前記少なくとも一種のアプリケーションリソースを、分類統合するステップは、
前記ハードウェアインターフェースにＴＶインターフェースが含まれた場合、前記制御チップを用いて、前記ＴＶインターフェースにより提供するアプリケーションリソースを、同一類のアプリケーションリソースに区分するステップと、
前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記制御チップを用いて、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類するステップと、
前記ハードウェアインターフェースにネットワークインターフェースが含まれる場合、前記制御チップを用いて、前記ネットワークインターフェースにより提供する各種のアプリケーションリソースを、アプリケーションタイプによって、少なくとも同一類のアプリケーションリソースに分類するステップと
を含み、
ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む
ことを特徴とする請求項８に記載のリソース表示方法。
【請求項１０】
前記制御チップを用いて、所定のレイアウトによって配列された幾つかのカードエリアを含むメインインターフェースの表示信号を生成するステップは、
一つのカードエリアに対応するアプリケーションリソースが存在する場合、前記制御チップを用いて、前記アプリケーションリソースに基づいて、前記表示内容は、前記アプリケーションリソースのポスターイメージ、内容、紹介情報及び更新情報の中の少なくとも一種が含まれた、前記カードエリア内の表示内容を特定するステップと、
一つのカードエリアに対応するアプリケーションリソースが存在しないが、前記アプリケーションリソースに対応する前記ハードウェアインターフェースが信号源に接続された場合、前記制御チップを用いて、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定するステップと、
一つのカードエリアに対応するアプリケーションリソースが存在しないし、且つ、前記アプリケーションリソースに対応する前記ハードウェアインターフェースが信号源に接続されなかった場合、前記制御チップを用いて、前記ハードウェアインターフェースに基づいて、前記ハードウェアインターフェースのインターフェースタイプ、及び、前記ハードウェアインターフェースが未接続状態にあることの中の少なくとも一種を含まれた、前記カードエリア内の表示内容を特定するステップと
を含むことを特徴とする請求項９に記載のリソース表示方法。
【請求項１１】
前記制御チップを用いて、前記メインインターフェース内の一つのカードエリアに対応する選択信号を受信し、前記選択信号に従って選択した前記カードエリアに対応するアプリケーションリソースに基づいて、第２表示信号を生成するステップと、
前記ディスプレイを用いて、前記第２表示信号に基づいて、前記メインインターフェースを前記カードエリアに対応する下位内容に切り替えて表示するステップと
をさらに含み、
前記下位内容は、前記カードエリアに対応するアプリケーションリソース、前記カードエリアに対応するアプリケーションリソースのディレクトリ、或いは、前記カードエリアに対応する信号源の詳細情報を含む
ことを特徴とする請求項１０に記載のリソース表示方法。
【請求項１２】
前記制御チップを用いて、前記カードエリアに対応する下位内容に対応するリターン信号を受信し、前記リターン信号に基づいて、所定のレイアウトによって配列された幾つかのカードエリアを含む前記メインインターフェースの表示信号を再び生成するステップと、
前記ディスプレイを用いて、前記表示信号に基づいて前記カードエリアに対応する下位内容を前記メインインターフェースに切り替えて表示するステップと
をさらに含むことを特徴とする請求項１１に記載のリソース表示方法。
【請求項１３】
前記制御チップを用いて、前記メインインターフェースに含まれたカードエリアが２ページ以上である場合、前記メインインターフェースに対応する取替え信号を受信し、前記取替え信号に基づいて、カードエリアの全部或いは一部を取替えた後のメインインターフェースの表示信号である、第３表示信号を生成するステップと、
前記ディスプレイを用いて、前記第３表示信号に基づいて、前記カードエリアの全部或いは一部を取替えた後のメインインターフェースを表示するステップと
をさらに含み、
ここで、前記取替え信号は、ページ変更信号或いはスライド信号である
ことを特徴とする請求項９又は１０に記載のリソース表示方法。
【請求項１４】
前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む
ことを特徴とする請求項８、９、１０又は１２に記載のリソース表示方法。
【請求項１５】
プロセッサに実行されることにより、請求項８から請求項１４のいずれか１項に記載の電子デバイスに適用されるリソース表示方法を実現することを特徴とするプログラム。
【請求項１６】
請求項１５に記載のプログラムが記録された記録媒体。
【手続補正２】
【補正対象書類名】明細書
【補正対象項目名】全文
【補正方法】変更
【補正の内容】
【発明の詳細な説明】
【関連出願の相互参照】
【０００１】
本願は、出願番号がＣＮ２０１３１０３８９８６４．２であって、出願日が２０１３年８月３０日である中国特許出願に基づいて優先権を主張し、当該中国特許出願のすべての内容を援用する。
【技術分野】
【０００２】
本発明は、電子技術分野に関し、特に、電子デバイス、リソース表示方法、プログラム及び記録媒体に関する。
【背景技術】
【０００３】
電子情報技術の発展に伴い、テレビは、最も一般的な家電製品として、ますます、インテリジェント化及びオールラウンド化に向かって発展している。
【０００４】
ＯＳがインストールされたスマートテレビにおいて、一般的なテレビアプリケーションによりユーザにテレビ番組の視聴を提供するほか、さらに、マイクロブログの照会、天気予報の照会、ゲームの運行、及び、インターネットの利用、等のヘルパーアプリケーションを提供する。同時に、スマートテレビは、さらに、サードパーティアプリケーションプログラムをダウンロード及びインストールすることにより、ヘルパーアプリケーションの拡大及びアップグレードを実現する。具体的には、ユーザは、スマートテレビをオンにした後に、一般的なテレビのように、直接、テレビ番組を視聴したりＴＶチャンネルを切り替えたりすることができる。ヘルパーアプリケーションを利用しようとする時には、ユーザは、スマートテレビ上のメニューを利用して、その中の一つのヘルパーアプリケーションを選択してオンにすることができる。
【０００５】
本発明を実現する過程において、発明者は、背景技術には少なくとも以下の問題が存在することを発見した。スマートテレビにおいて、テレビ以外の他のヘルパーアプリケーションはすべてメニューを通じて提供するので、あるヘルパーアプリケーションを使用する時の操作階層がより長い。多くのユーザは、スマートテレビを購入した後に、長い時間が過ぎても、スマートテレビにこんなヘルパーアプリケーションがあることを知らないし、或いは、ヘルパーアプリケーションがあることを知っていても、操作階層が長いため、ユーザは、こんなヘルパーアプリケーションをよく使用しないか、或いは、完全に使用しない。このため、こんなヘルパーアプリケーションの使用率が非常に低い。
【発明の概要】
【発明が解決しようとする課題】
【０００６】
スマートテレビ上テレビ以外の他のヘルパーアプリケーションをすべてメニューから提供するから、あるヘルパーアプリケーションを使用しようとする時の操作階層がより長いため、テレビ以外の他のアプリケーションの使用率が非常に低くなってしまう問題を解決するために、本発明の実施例は、電子デバイス、リソース表示方法、プログラム及び記録媒体を提供する。その構成は、以下のとおりである。
【課題を解決するための手段】
【０００７】
本発明の実施例に係る第１態様によると、電子デバイスを提供する。前記電子デバイスは、少なくとも一つのハードウェアインターフェース、前記少なくとも一つのハードウェアインターフェースとそれぞれ電気的に接続された制御チップ、及び、前記制御チップと電気的に接続されたディスプレイを含み、前記少なくとも一つのハードウェアインターフェースは、それぞれ、同一の信号源を接続するか、或いは、互いに異なる信号源を接続し、各々の信号源は、前記ハードウェアインターフェースを用いて、少なくとも一種のアプリケーションリソースを提供し、前記制御チップは、前記各々のハードウェアインターフェースにより提供する前記少なくとも一種のアプリケーションリソースを分類統合し、また、所定のレイアウトによって配列された幾つかのカードエリアを含むメインインターフェースの表示信号を生成し、各々のカードエリアは、分類統合後の同類のアプリケーションリソースに対応され、互いに異なるカードエリアは、分類統合後の非同類アプリケーションリソースに対応され、前記ディスプレイは、前記表示信号に基づいて前記メインインターフェースを表示させる。
【０００８】
一実施例において、前記制御チップは、前記ハードウェアインターフェースにＴＶインターフェースが含まれた場合、前記ＴＶインターフェースにより提供するアプリケーションリソースを、同一類のアプリケーションリソースに区分し、前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類し、前記ハードウェアインターフェースにネットワークインターフェースが含まれる場合、前記ネットワークインターフェースにより提供する各種のアプリケーションリソースを、アプリケーションタイプによって、少なくとも同一類のアプリケーションリソースに分類し、ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【０００９】
一実施例において、前記制御チップは、一つのカードエリアに対応するアプリケーションリソースが存在する場合、前記アプリケーションリソースに基づいて、前記アプリケーションリソースのポスターイメージ、内容、紹介情報及び更新情報の中の少なくとも一種が含まれた、前記カードエリア内の表示内容を特定し、一つのカードエリアに対応するアプリケーションリソースが存在しないが、前記アプリケーションリソースに対応する前記ハードウェアインターフェースが信号源に接続された場合、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定し、一つのカードエリアに対応するアプリケーションリソースが存在しないし、且つ、前記アプリケーションリソースに対応する前記ハードウェアインターフェースが信号源に接続されなかった場合、前記ハードウェアインターフェースに基づいて、前記ハードウェアインターフェースのインターフェースタイプ、及び、前記ハードウェアインターフェースが未接続状態にあることの中の少なくとも一種が含まれた、前記カードエリア内の表示内容を特定する。
【００１０】
一実施例において、前記制御チップは、さらに、前記メインインターフェース内の一つのカードエリアに対応する選択信号を受信し、前記選択信号に従って選択した前記カードエリアに対応するアプリケーションリソースに基づいて、第２表示信号を生成し、前記ディスプレイは、さらに、前記第２表示信号に基づいて、前記メインインターフェースを前記カードエリアに対応する下位内容に切り替えて表示し、前記下位内容は、前記カードエリアに対応するアプリケーションリソース、前記カードエリアに対応するアプリケーションリソースのディレクトリ、或いは、前記カードエリアに対応する信号源の詳細情報を含む。
【００１１】
一実施例において、前記制御チップは、さらに、前記カードエリアに対応する下位内容に対応するリターン信号を受信し、前記リターン信号に基づいて、所定のレイアウトによって配列された幾つかのカードエリアを含む前記メインインターフェースの表示信号を再び生成し、前記ディスプレイは、さらに、前記表示信号に基づいて前記カードエリアに対応する下位内容を前記メインインターフェースに切り替えて表示する。
【００１２】
一実施例において、前記制御チップは、さらに、前記メインインターフェースに含まれたカードエリアが２ページ以上である場合、前記メインインターフェースに対応する取替え信号を受信し、前記取替え信号に基づいて第３表示信号を生成し、前記第３表示信号は、カードエリアの全部或いは一部を取替えた後のメインインターフェースの表示信号であり、前記ディスプレイは、さらに、前記第３表示信号に基づいて、前記カードエリアの全部或いは一部を取替えた後のメインインターフェースを表示し、ここで、前記取替え信号は、ページ変更信号或いはスライド信号である。
【００１３】
一実施例において、前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
【００１４】
本発明の実施例に係る第２態様によると、第１の態様或いは第１の態様の各々の好ましい実施例に記載の電子デバイスに適用される、リソース表示方法を提供する。
【００１５】
前記方法は、前記少なくとも一つのハードウェアインターフェースを用いて、それぞれ、同一の信号源に接続させるか、或いは、互いに異なる信号源に接続させるステップと、前記制御チップを用いて、前記各々のハードウェアインターフェースにより提供する前記少なくとも一種のアプリケーションリソースを、分類統合するステップと、前記制御チップを用いて、所定のレイアウトによって配列された幾つかのカードエリアを含むメインインターフェースの表示信号を生成するステップと、前記ディスプレイを用いて、前記表示信号に基づいて前記メインインターフェースを表示するステップとを含み、前記各信号源は、それぞれ、少なくとも一種のアプリケーションリソースを提供し、各々のカードエリアは、分類統合後の同類のアプリケーションリソースに対応され、互いに異なるカードエリアは、分類統合後の非同類アプリケーションリソースに対応される。
【００１６】
一実施例において、前記制御チップを用いて、前記各々のハードウェアインターフェースにより提供する前記少なくとも一種のアプリケーションリソースを、分類統合するステップは、前記ハードウェアインターフェースにＴＶインターフェースが含まれた場合、前記制御チップを用いて、前記ＴＶインターフェースにより提供するアプリケーションリソースを、同一類のアプリケーションリソースに区分するステップと、前記ハードウェアインターフェースに、ＨＤＭＩインターフェース、Ｓ端子インターフェース、ＡＶインターフェース、ＶＧＡインターフェース、ＤＶＩインターフェース、ＤＰインターフェース及びＵＳＢインターフェースの中の少なくとも一種が含まれる場合に、前記制御チップを用いて、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースにより提供するアプリケーションリソースを、それぞれ、同一類のアプリケーションリソースに分類するか、或いは、前記ＨＤＭＩインターフェース、前記Ｓ端子インターフェース、前記ＡＶインターフェース、前記ＶＧＡインターフェース、前記ＤＶＩインターフェース、前記ＤＰインターフェース及び前記ＵＳＢインターフェースの中の少なくとも一種のインターフェースから提供する各種のアプリケーションリソースを、同一類のアプリケーションリソースに分類するステップと、前記ハードウェアインターフェースにネットワークインターフェースが含まれる場合、前記制御チップを用いて、前記ネットワークインターフェースにより提供する各種のアプリケーションリソースを、アプリケーションタイプによって、少なくとも同一類のアプリケーションリソースに分類するステップとを含み、ここで、前記アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００１７】
一実施例において、前記制御チップを用いて、所定のレイアウトによって配列された幾つかのカードエリアを含むメインインターフェースの表示信号を生成するステップは、一つのカードエリアに対応するアプリケーションリソースが存在する場合、前記制御チップを用いて、前記アプリケーションリソースに基づいて、前記表示内容は、前記アプリケーションリソースのポスターイメージ、内容、紹介情報及び更新情報の中の少なくとも一種が含まれた、前記カードエリア内の表示内容を特定するステップと、一つのカードエリアに対応するアプリケーションリソースが存在しないが、前記アプリケーションリソースに対応する前記ハードウェアインターフェースが信号源に接続された場合、前記制御チップを用いて、前記信号源に基づいて、前記信号源が接続状態にあること、前記信号源の記述情報、前記信号源のデバイスタイプ、前記信号源のデバイス名称及び前記信号源の動作状態の中の少なくとも一種が含まれた、前記カードエリア内の表示内容を特定するステップと、一つのカードエリアに対応するアプリケーションリソースが存在しないし、且つ、前記アプリケーションリソースに対応する前記ハードウェアインターフェースが信号源に接続されなかった場合、前記制御チップを用いて、前記ハードウェアインターフェースに基づいて、前記ハードウェアインターフェースのインターフェースタイプ、及び、前記ハードウェアインターフェースが未接続状態にあることの中の少なくとも一種を含まれた、前記カードエリア内の表示内容を特定するステップとを含む。
【００１８】
一実施例において、前記方法は、前記制御チップを用いて、前記メインインターフェース内の一つのカードエリアに対応する選択信号を受信し、前記選択信号に従って選択した前記カードエリアに対応するアプリケーションリソースに基づいて、第２表示信号を生成するステップと、前記ディスプレイを用いて、前記第２表示信号に基づいて、前記メインインターフェースを前記カードエリアに対応する下位内容に切り替えて表示するステップとをさらに含み、前記下位内容は、前記カードエリアに対応するアプリケーションリソース、前記カードエリアに対応するアプリケーションリソースのディレクトリ、或いは、前記カードエリアに対応する信号源の詳細情報を含む。
【００１９】
一実施例において、前記方法は、前記制御チップを用いて、前記カードエリアに対応する下位内容に対応するリターン信号を受信し、前記リターン信号に基づいて、所定のレイアウトによって配列された幾つかのカードエリアを含む前記メインインターフェースの表示信号を再び生成するステップと、前記ディスプレイを用いて、前記表示信号に基づいて前記カードエリアに対応する下位内容を前記メインインターフェースに切り替えて表示するステップとをさらに含む。
【００２０】
一実施例において、前記方法は、前記制御チップを用いて、前記メインインターフェースに含まれたカードエリアが２ページ以上である場合、前記メインインターフェースに対応する取替え信号を受信し、前記取替え信号に基づいて、カードエリアの全部或いは一部を取替えた後のメインインターフェースの表示信号である、第３表示信号を生成するステップと、前記ディスプレイを用いて、前記第３表示信号に基づいて、前記カードエリアの全部或いは一部を取替えた後のメインインターフェースを表示するステップとをさらに含み、ここで、前記取替え信号は、ページ変更信号或いはスライド信号である。
【００２１】
一実施例において、前記信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
本発明の実施例の第３の態様によると、プログラムを提供し、当該プログラムは、プロセッサに実行されることにより、上記の電子デバイスに適用されるリソース表示方法を実現する。
本発明の実施例の第４の態様によると、記録媒体を提供し、当該記録媒体には、上記プログラムが記録されている。
【発明の効果】
【００２２】
本発明の実施例によって提供する構成の有益な効果は以下のとおりである。
【００２３】
互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００２４】
以上の統括な記述と以下の細部記述は、ただ例示的なものであり、本発明を制限するものではないと、理解するべきである。
【図面の簡単な説明】
【００２５】
本発明の実施例の構成をもっと詳しく説明するために、以下、実施例の説明に必要な図面を簡単に説明する。当然ながら、以下に記載の図面は、ただ、本発明の実施例の幾つかの例であり、当業者が創造的労働をせずにこれらに基づいて他の図面を得ることができることである。
【００２６】
ここでの図面は、明細書に合併されて本明細書の一部を構成して本発明に合致する実施例を示し、明細書とともに本発明の原理を説明するのに用いられる。
【００２７】
【図１】図１は、例示的な一実施例に係る電子デバイスの構成を示す模式図である。
【図２Ａ】図２Ａは、例示的な一実施例に係る電子デバイスの構成を示す模式図である。
【図２Ｂ】図２Ｂは、図２Ａに示した実施例によって提供する電子デバイスにより表示させたメインインターフェースを示すインターフェース模式図である。
【図２Ｃ】図２Ｃは、図２Ａに示した実施例によって提供する電子デバイスにより表示させた下位内容を示すインターフェース模式図である。
【図２Ｄ】図２Ｄは、図２Ａに示した実施例によって提供する電子デバイスにより表示させた取替え後のメインインターフェースを示すインターフェース模式図である。
【図２Ｅ】図２Ｅは、図２Ａに示した実施例によって提供する電子デバイスにより表示させた取替え後の別のメインインターフェースを示すインターフェース模式図である。
【図３】図３は、例示的な一実施例に係るリソース表示方法を示すフローチャートである。
【図４】図４は、例示的な一実施例に係るリソース表示方法を示すフローチャートである。
【発明を実施するための形態】
【００２８】
以下、本発明の目的、技術案及び利点をさらに明確にするために、図面を参照しながら本発明の実施例をさらに詳しく説明する。
【００２９】
図１は、本発明の一実施例によって提供する電子デバイスの構成を示す模式図である。当該電子デバイスは、テレビ、モニター、一体型パソコン、或いは、ディスプレイプラットフォーム、等であってもよい。当該電子デバイスは、少なくとも一つのハードウェアインターフェース１２０、少なくとも一つのハードウェアインターフェース１２０とそれぞれ電気的に接続された制御チップ１４０、及び、制御チップ１４０と電気的に接続されたディスプレイ１６０を備える。
【００３０】
少なくとも一つのハードウェアインターフェース１２０は、それぞれ、同一の信号源に接続されるか、或いは、互いに異なる信号源に接続され、各々の信号源は、ハードウェアインターフェース１２０を介して少なくとも一種のアプリケーションリソースを提供する。
【００３１】
制御チップ１４０は、各々のハードウェアインターフェース１２０により提供する少なくとも一種のアプリケーションリソースを、分類統合し、また、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００３２】
ディスプレイ１６０は、表示信号に基づいて当該メインインターフェースを表示する。
【００３３】
上記により、本実施例によって提供する電子デバイスによると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００３４】
図２Ａは、本発明の他の一実施例によって提供する電子デバイスの構成を示す模式図である。本実施例においては、当該電子デバイスが一つのスマートテレビである例を挙げて、説明する。当該電子デバイスは、少なくとも一つのハードウェアインターフェース１２０、少なくとも一つのハードウェアインターフェース１２０とそれぞれ電気的に接続された制御チップ１４０、及び、制御チップ１４０と電気的に接続されたディスプレイ１６０を含む。
【００３５】
少なくとも一つのハードウェアインターフェース１２０は、それぞれ、同一の信号源に接続されるか、或いは、互いに異なる信号源に接続され、各々の信号源は、ハードウェアインターフェース１２０を介して少なくとも一種のアプリケーションリソースを提供する。
【００３６】
当該ハードウェアインターフェース１２０は、ＴＶ（Ｔｅｌｅｖｉｓｉｏｎ、テレビ）インターフェース、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、ハイビジョンマルチメディア）インターフェース、Ｓ端子インターフェース、ＡＶ（Ａｕｄｉｏ  ＆  Ｖｉｄｅｏ、音映像）インターフェース、ＶＧＡ（Ｖｉｄｅｏ  Ｇｒａｐｈｉｃｓ  Ａｒｒａｙ、ビデオグラフィックスアレイ）インターフェース、ＤＶＩ（Ｄｉｇｉｔａｌ  Ｖｉｓｕａｌ  Ｉｎｔｅｒｆａｃｅ、デジタルビデオインターフェース）インターフェース、ＤＰ（Ｄｉｓｐｌａｙ  Ｐｏｒｔ、ディスプレイポート）インターフェース、ＵＳＢ（Ｕｎｉｖｅｒｓａｌ  Ｓｅｒｉａｌ  Ｂｕｓ、ユニバーサル・シリアル・バス）インターフェース、及び、ネットワークインターフェースの中の少なくとも一種を含む。ネットワークインターフェースは、さらに、ＷＩＦＩ（Ｗｉｒｅｌｅｓｓ  Ｆｉｄｅｌｉｔｙ、ワイヤレス・フィディリティー）無線ネットワークインターフェース、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）ネットワークインターフェース、イーサネット有線ネットワークインターフェース、及び、光ファイバネットワークインターフェースの中の少なくとも一種を含む。本実施例において、電子デバイスがスマートテレビであるため、ハードウェアインターフェース１２０は、一般的に、ＴＶインターフェース及びネットワークインターフェースを含む上に、さらに、幾つかの他のハードウェアインターフェースを含み、且つ、各種のハードウェアインターフェース１２０は、一つ以上であり、例えば、図面に示したＨＤＭＩインターフェースは、二つである。記述の便利をために、当該電子デバイスが上記の全部のハードウェアインターフェースを含む例を説明する。
【００３７】
ＴＶインターフェースに接続される信号源は、一般的に、ケーブルテレビであり、当該ケーブルテレビは、ＴＶインターフェースを介して電子デバイスに、テレビアプリケーションリソースを提供する。
【００３８】
ＨＤＭＩインターフェース、Ｓ端子インターフェース、ＡＶインターフェース、ＶＧＡインターフェース及びＤＶＩインターフェースに接続される信号源は、一般的に、ＨＤプレーヤー、カラオケ機、セットトップボックス、ＤＶＤ／ＶＣＤ、コンピュータ、タブレットＰＣ及びゲーム機の中の任意の一つである。こんな信号源により提供するローカル再生リソースは、たとえば、ＨＤ映画及びミュージックリソースがある。
【００３９】
ＵＳＢインターフェースに接続される信号源は、一般的に、Ｕディスクであり、ＨＤプレーヤー、カラオケ機、セットトップボックス、ＤＶＤ／ＶＣＤ、コンピュータ、タブレットＰＣ及びゲーム機の中の任意の一つである可能性もある。こんな信号源は、ローカル再生リソースを提供する。
【００４０】
ネットワークインターフェースに接続される信号源は、一般的に、一つの或いは複数の遠隔サーバであり、こんな遠隔サーバは、一般的に、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を提供する。
【００４１】
即ち、アプリケーションリソースのタイプは、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００４２】
制御チップ１４０は、一般的に、プロセッサ１４２及びメモリ１４４を含み、さらに、オプションとして、テレビ処理チップ１４６、及び、音映像デコーディングチップ１４８のようなヘルパーチップを含んでもよい。メモリ１４４には、ＯＳ（オペレーティング・システム）、一つの或いは複数のプログラムが記憶される。当該ＯＳは、予め設定したプログラムインターフェース、及び、サードパーティプログラムインターフェースを提供する。予め設定したプログラムインターフェースは、他のメーカーに提供して、カスタムメイドアプリケーションリソースを開発するようにするためのインターフェースであり、サードパーティプログラムインターフェースは、サードパーティ研究者にオープン的に提供して、サードパーティアプリケーションリソースを開発するようにするためのインターフェースである。
【００４３】
制御チップ１４０は、各々のハードウェアインターフェース１２０により提供する少なくとも一種のアプリケーションリソースを、分類統合する。電子デバイスに含まれたハードウェアインターフェースによる分類統合は、以下のとおりである。
【００４４】
制御チップ１４０は、ハードウェアインターフェースがＴＶインターフェースを含む時に、ＴＶインターフェースにより提供するアプリケーションリソースを、同一類のアプリケーションリソースに区分する。例えば、制御チップ１４０は、ＴＶインターフェースにより提供するテレビアプリケーションリソースを、同一類のアプリケーションリソースに区分する。
【００４５】
制御チップ１４０は、さらに、ハードウェアインターフェースがＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種を含む時に、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースにより提供するアプリケーションリソースを、それぞれ、同一類のアプリケーションリソースに分類するか、或いは、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースを介して提供する各種のアプリケーションリソースを、同一類のアプリケーションリソースに分類する。例えば、制御チップは、これらインターフェースにより提供する互いに異なるローカル再生リソースを、同一類のアプリケーションリソースに分類する。
【００４６】
制御チップ１４０は、さらに、ハードウェアインターフェースがネットワークインターフェースを含む時に、ネットワークインターフェースにより提供する各種のアプリケーションリソースを、アプリケーションタイプによって、少なくとも同一類のアプリケーションリソースに分類する。例えば、ゲームアプリケーションリソースを、同一類のアプリケーションリソースに区分し、テーマアプリケーションリソースを、同一類のアプリケーションリソースに区分し、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースを、同一類のアプリケーションリソースに区分する。
【００４７】
制御チップ１４０は、さらに、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００４８】
例えば、図２Ｂに示したメインインターフェースには、行と列に沿って、整列して配列した８個のカードエリアが含まれる。この中、５個のカードエリアは、列に沿って、左方に整列して配列され、他の３個のカードエリアは、左方の１番目のカードエリアと、行に沿って、右方に、順次に整列して配列される。カードエリア２０１は、テレビアプリケーションリソースに対応され、カードエリア２０２は、ＨＤＭＩ１インターフェースにより提供するローカル再生アプリケーションリソースに対応され、カードエリア２０３は、ＨＤＭＩ２インターフェースにより提供するローカル再生アプリケーションリソースに対応され、カードエリア２０４は、ＡＶインターフェースにより提供するローカル再生アプリケーションリソースに対応され、カードエリア２０５は、ＵＳＢインターフェースにより提供するローカル再生アプリケーションリソースに対応され、カードエリア２０６は、ネットワークインターフェースにより提供するオンライン映画テレビアプリケーションリソースに対応され、カードエリア２０７は、ネットワークインターフェースにより提供するゲームアプリケーションリソースに対応され、カードエリア２０８は、ネットワークインターフェースにより提供するシステムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースに対応される。
【００４９】
制御チップ１４０は、さらに、一つのカードエリアに対応するアプリケーションリソースが存在する場合、アプリケーションリソースに基づいて、カードエリア内の表示内容を特定し、表示内容は、アプリケーションリソースのポスターイメージ、内容、紹介情報及び更新情報の中の少なくとも一種を含む。例えば、ＴＶインターフェースがケーブルテレビに接続されると、カードエリア２０１に対応するテレビアプリケーションリソースが存在する場合、制御チップ１４０は、カードエリア２０１内の表示内容を、テレビアプリケーションリソースの内容として特定する。即ち、実際のテレビ画面として特定する。また、例えば、ネットワークインターフェースが遠隔サーバに接続された場合、カードエリア２０６に対応するオンライン映画テレビアプリケーションリソースが存在する場合、カードエリア内の表示内容に、オンライン映画テレビのポスターイメージ、紹介情報である「三不探偵」、及び、更新情報である「８」が含まれるとして特定する。
【００５０】
制御チップ１４０は、さらに、一つのカードエリアに対応するアプリケーションリソースが存在しないが、アプリケーションリソースに対応するハードウェアインターフェースが信号源に接続された場合、信号源に基づいて、カードエリア内の表示内容を特定し、表示内容には、信号源が接続状態であること、信号源の記述情報、信号源のデバイスタイプ、信号源のデバイス名称、及び、信号源の動作状態の中の少なくとも一種を含む。例えば、ＨＤＭＩ１インターフェースが一つのＨＤプレーヤーに接続されたが、ＨＤプレーヤーがいずれのアプリケーションリソースも出力しない場合、制御チップ１４０は、カードエリア２０２の透明度を０に設定することにより、ＨＤＭＩ１インターフェースとＨＤプレーヤーとが接続状態にあることを示し、また、カードエリア２０２内にＨＤプレーヤーのデバイス名称を表示する。
【００５１】
制御チップ１４０は、さらに、一つのカードエリアに対応するアプリケーションリソースが存在しないし、且つ、アプリケーションリソースに対応するハードウェアインターフェースが信号源に接続されなかった場合、ハードウェアインターフェースに基づいて、カードエリア内の表示内容を特定し、表示内容には、ハードウェアインターフェースのインターフェースタイプ、及び、ハードウェアインターフェースが未接続状態にあることの中の少なくとも一種が含まれる。例えば、ＨＤＭＩ２インターフェースが信号源に接続されなかった場合、制御チップ１４０は、カードエリア２０３の透明度を７０％（図面では点線で示す）に設定することにより、ＨＤＭＩ２インターフェースが未接続状態にあることを示し、また、カードエリア２０３内にＨＤＭＩインターフェースのインターフェースタイプを表示する。
【００５２】
ディスプレイ１６０は、制御チップ１４０の表示信号に基づいて、当該メインインターフェースを表示する。表示されたメインインターフェースは、図２Ｂに示したとおりである。
【００５３】
制御チップ１４０は、さらに、メインインターフェース内の一つのカードエリアに対応する選択信号を受信し、選択信号に従って選択したカードエリアに対応するアプリケーションリソースに基づいて、第２表示信号を生成する。ディスプレイ１６０は、さらに、第２表示信号に基づいて、メインインターフェースをカードエリアに対応する下位内容に切り替えて表示し、下位内容には、カードエリアに対応するアプリケーションリソース、カードエリアに対応するアプリケーションリソースのディレクトリ、或いは、カードエリアに対応する信号源の詳細情報が含まれる。
【００５４】
例えば、制御チップ１４０は、ユーザが選択したカードエリア２０１の選択信号を受信した後に、テレビアプリケーションリソースが一つしかない場合、制御チップ１４０が第２表示信号を生成した後に、ディスプレイ１６０により第２表示信号に基づいて、直接、テレビアプリケーションリソースを表示する。図２Ｃに示したように、また、例えば、制御チップ１４０は、ユーザが選択したカードエリア２０６の選択信号を受信した後に、カードエリア２０６に対応するオンライン映画テレビアプリケーションリソースが少なくとも２個ある場合、制御チップ１４０が第２表示信号を生成した後に、ディスプレイ１６０により第２表示信号に基づいてオンライン映画テレビアプリケーションリソースのディレクトリを表示する。また、例えば、制御チップ１４０は、ユーザが選択したカードエリア２０５の選択信号を受信した後に、カードエリア２０５に対応するローカル再生アプリケーションリソースが複数ある場合、制御チップ１４０は第２表示信号を生成した後に、ディスプレイ１６０により第２表示信号に基づいてＵディスク内のファイルディレクトリを表示する。
【００５５】
当然ながら、制御チップ１４０は、さらに、カードエリアに対応する下位内容に対応するリターン信号を受信し、リターン信号に基づいて、再び、所定のレイアウトによって配列された幾つかのカードエリアを含むメインインターフェースの表示信号を生成する。ディスプレイ１６０は、さらに、表示信号に基づいて、カードエリアに対応する下位内容を、メインインターフェースに切り替えて表示する。
【００５６】
例えば、下位内容の表示内容がテレビアプリケーションリソースである場合、制御チップ１４０によりリターン信号を受信した場合には、制御チップ１４０は、リターン信号に基づいて、再び、所定のレイアウトによって配列された幾つかのカードエリアを含むメインインターフェースの表示信号を生成する。ディスプレイ１６０は、さらに、表示信号に基づいて、カードエリアに対応する下位内容を、メインインターフェースに切り替えて表示する。当該メインインターフェースは、図２Ｂを参照してもよい。
【００５７】
また、メインインターフェースのカードエリアが多すぎると、メインインターフェース上に全部のカードエリアを表示できない。即ち、メインインターフェースに含まれたカードエリアが、２ページ以上である場合には、以下のように処理する。
【００５８】
制御チップ１４０は、さらに、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。ここで、取替え信号は、ページ変更信号或いはスライド信号である。
【００５９】
ディスプレイ１６０は、さらに、第３表示信号に基づいて、カードエリアの全部或いは一部を取替えた後のメインインターフェースを表示する。
【００６０】
例えば、取替え信号がページ変更信号である場合、制御チップ１４０は、取替え信号に基づいて、第３表示信号を生成し、ディスプレイ１６０は、図２Ｄに示したように、第３表示信号に基づいて、全部のカードエリアを取替えた後のメインインターフェースを表示する。さらに、例えば、取替え信号がスライド信号である場合、制御チップ１４０は、取替え信号に基づいて第３表示信号を生成し、ディスプレイ１６０は、図２Ｅに示したように、第３表示信号に基づいて、一部のカードエリアを取替えた後のメインインターフェースを表示する。
【００６１】
上記により、本実施例によって提供する電子デバイスによると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００６２】
本実施例によって提供する電子デバイスによると、メインインターフェースの一つのカードエリアが選択された後に、当該カードエリアの下位内容を表示し、また、当該カードエリアの下位内容を表示する時にリターン信号を受信した後に、いつも、幾つかのカードエリアが含まれたメインインターフェースにリターンすることにより、各々のカードエリアにより提供するアプリケーションリソースがユーザに選択されて使用される確率が平均になるようにして、各種類のアプリケーションリソースの使用率も相対的に平均になるようにする効果を得た。
【００６３】
図３は、本発明の一実施例によって提供するリソース表示方法を示すフローチャートである。当該リソース表示方法は、図１或いは図２に示された電子デバイスに適用される例を挙げて、本実施例を説明する。当該リソース表示方法は、以下のステップを含む。
【００６４】
ステップ３０２において、少なくとも一つのハードウェアインターフェースを用いて、それぞれ、同一の信号源に接続させるか、或いは、互いに異なる信号源に接続させる。各信号源は、それぞれ、少なくとも一種のアプリケーションリソースを提供する。
【００６５】
ステップ３０４において、制御チップを用いて、各々のハードウェアインターフェースにより提供する少なくとも一種のアプリケーションリソースを、分類統合する。
【００６６】
ステップ３０６において、制御チップを用いて、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００６７】
ステップ３０８において、ディスプレイを用いて、当該表示信号に基づいて当該メインインターフェースを表示する。
【００６８】
上記により、本実施例によって提供するリソース表示方法によると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【００６９】
図４は、本発明のもう一実施例によって提供するリソース表示方法を示すフローチャートである。当該リソース表示方法を図１或いは図２に示された電子デバイスに適用する例を挙げて、本実施例を説明する。当該リソース表示方法は、以下のステップを含む。
【００７０】
ステップ４０１において、少なくとも一つのハードウェアインターフェースを用いて、それぞれ、同一の信号源に接続させるか、或いは、互いに異なる信号源に接続させる。各々の信号源は、それぞれ、少なくとも一種のアプリケーションリソースを提供する。
【００７１】
電子デバイスを、少なくとも一つのハードウェアインターフェースを用いて、それぞれ、同一の信号源に接続させるか、或いは、互いに異なる信号源に接続させる。
【００７２】
当該ハードウェアインターフェースは、ＴＶインターフェース、ＨＤＭＩインターフェース、Ｓ端子インターフェース、ＡＶ（Ａｕｄｉｏ  ＆  Ｖｉｄｅｏ、音映像）インターフェース、ＶＧＡインターフェース、ＤＶＩインターフェース、ＤＰインターフェース、ＵＳＢインターフェース、及び、ネットワークインターフェースの中の少なくとも一種を含む。ネットワークインターフェースは、さらに、ＷＩＦＩ（Ｗｉｒｅｌｅｓｓ  Ｆｉｄｅｌｉｔｙ、ワイヤレス・フィディリティー）無線ネットワークインターフェース、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）ネットワークインターフェース、イーサネット有線ネットワークインターフェース、及び、光ファイバネットワークインターフェースの中の少なくとも一種を含む。
【００７３】
信号源は、ケーブルテレビ、ＨＤプレーヤー、カラオケ機、セットトップボックス、ＤＶＤ／ＶＣＤ、コンピュータ、タブレットＰＣ、Ｕディスク、ゲーム機及び遠隔サーバの中の少なくとも一種を含む。
【００７４】
ステップ４０２、制御チップを用いて、各々のハードウェアインターフェースにより提供する少なくとも一種のアプリケーションリソースを、分類統合する。
【００７５】
電子デバイスは、制御チップを用いて、各々のハードウェアインターフェースにより提供する少なくとも一種のアプリケーションリソースを、分類統合する。本ステップは、以下のサブステップを含んでもよい。
【００７６】
ハードウェアインターフェースにＴＶインターフェースが含まれた場合、電子デバイスは、制御チップを用いて、ＴＶインターフェースにより提供するアプリケーションリソースを、同一類のアプリケーションリソースに区分する。
【００７７】
ハードウェアインターフェースにＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種が含まれた場合、電子デバイスは、制御チップを用いて、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースにより提供するアプリケーションリソースを、それぞれ、同一類のアプリケーションリソースに分類するか、或いは、ＨＤＭＩインターフェース、Ｓ端子インターフェース、ＡＶインターフェース、ＶＧＡインターフェース、ＤＶＩインターフェース、ＤＰインターフェース、及び、ＵＳＢインターフェースの中の少なくとも一種のインターフェースから提供する各種のアプリケーションリソースを、同一類のアプリケーションリソースに分類する。
【００７８】
ハードウェアインターフェースにネットワークインターフェースが含まれた場合、電子デバイスは、制御チップを用いて、ネットワークインターフェースにより提供する各種のアプリケーションリソースを、アプリケーションタイプによって、少なくとも同一類のアプリケーションリソースに分類する。
【００７９】
ここで、アプリケーションリソースのタイプには、テレビアプリケーションリソース、ローカル再生アプリケーションリソース、オンライン映画テレビアプリケーションリソース、ゲームアプリケーションリソース、テーマアプリケーションリソース、イメージアプリケーションリソース、ミュージックアプリケーションリソース、システムアプリケーションリソース、予め設定したプログラムインターフェースを用いて実行するカスタムメイドアプリケーションリソース、及び、予め設定したサードパーティプログラムインターフェースを用いて実行するサードパーティアプリケーションリソースの中の少なくとも一種を含む。
【００８０】
ステップ４０３において、制御チップを用いて、所定のレイアウトによって配列された幾つかのカードエリアを含むメインインターフェースの表示信号を生成する。各々のカードエリアは、分類統合後の同類のアプリケーションリソースに対応され、互いに異なるカードエリアは、分類統合後の非同類アプリケーションリソースに対応される。
【００８１】
電子デバイスは、制御チップを用いて、所定のレイアウトによって配列された幾つかのカードエリアを含むメインインターフェースの表示信号を生成する。本ステップは、以下のサブステップを含んでもよい。
【００８２】
一つのカードエリアに対応するアプリケーションリソースが存在する場合、電子デバイスは、制御チップを用いて、アプリケーションリソースに基づいて、当該カードエリア内の表示内容を特定する。当該表示内容には、アプリケーションリソースのポスターイメージ、内容、紹介情報及び更新情報の中の少なくとも一種が含まれる。
【００８３】
一つのカードエリアに対応するアプリケーションリソースが存在しないが、アプリケーションリソースに対応するハードウェアインターフェースが信号源に接続された場合、電子デバイスは、制御チップを用いて、信号源に基づいてカードエリア内の表示内容を特定し、当該表示内容には、信号源が接続状態にあること、信号源の記述情報、信号源のデバイスタイプ、信号源のデバイス名称、及び、信号源の動作状態の中の少なくとも一種が含まれる。
【００８４】
一つのカードエリアに対応するアプリケーションリソースが存在しないし、且つ、アプリケーションリソースに対応するハードウェアインターフェースが信号源に接続されなかった場合、電子デバイスは、制御チップを用いて、ハードウェアインターフェースに基づいて、カードエリア内の表示内容を特定し、表示内容には、ハードウェアインターフェースのインターフェースタイプ、及び、ハードウェアインターフェースが未接続状態にあることの中の少なくとも一種が含まれる。
【００８５】
ステップ４０４において、ディスプレイを用いて、表示信号に基づいてメインインターフェースを表示する。
【００８６】
電子デバイスは、ディスプレイを用いて、表示信号に基づいてメインインターフェースを表示する。
【００８７】
ステップ４０５において、制御チップを用いて、メインインターフェース内の一つのカードエリアに対応する選択信号を受信し、当該選択信号によって選択したカードエリアに対応するアプリケーションリソースに基づいて、第２表示信号を生成する。
【００８８】
電子デバイスは、さらに、制御チップを用いて、メインインターフェース内の一つのカードエリアに対応する選択信号を受信し、当該選択信号によって選択したカードエリアに対応するアプリケーションリソースに基づいて、第２表示信号を生成する。
【００８９】
ステップ４０６において、ディスプレイを用いて、第２表示信号に基づいて、メインインターフェースを、カードエリアに対応する下位内容に切り替えて表示する。
【００９０】
電子デバイスは、ディスプレイを用いて、第２表示信号に基づいて、メインインターフェースを、カードエリアに対応する下位内容に切り替えて表示し、当該下位内容には、カードエリアに対応するアプリケーションリソース、カードエリアに対応するアプリケーションリソースのディレクトリ、或いは、カードエリアに対応する信号源の詳細情報が含まれる。
【００９１】
ステップ４０７において、制御チップを用いて、カードエリアに対応する下位内容に対応するリターン信号を受信し、リターン信号に基づいて、再び、所定のレイアウトによって配列された幾つかのカードエリアを含むメインインターフェースの表示信号を生成する。
【００９２】
電子デバイスは、制御チップを用いて、カードエリアに対応する下位内容に対応するリターン信号を受信し、リターン信号に基づいて、再び、所定のレイアウトによって配列された幾つかのカードエリアを含むメインインターフェースの表示信号を生成する。
【００９３】
ステップ４０８において、ディスプレイを用いて、表示信号に基づいて、カードエリアに対応する下位内容を、メインインターフェースに切り替えて表示する。
【００９４】
電子デバイスは、ディスプレイを用いて、表示信号に基づいて、カードエリアに対応する下位内容をメインインターフェースに切り替えて表示する。
【００９５】
ステップ４０９において、制御チップを用いて、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。
【００９６】
電子デバイスは、制御チップを用いて、メインインターフェースに含まれたカードエリアが２ページ以上である場合、メインインターフェースに対応する取替え信号を受信し、取替え信号に基づいて第３表示信号を生成する。第３表示信号は、カードエリアの全部或いは一部を取替えた後のメインインターフェースの表示信号である。
【００９７】
ここで、取替え信号は、ページ変更信号或いはスライド信号である。
【００９８】
ステップ４１０において、ディスプレイを用いて、第３表示信号に基づいて、カードエリアの全部或いは一部を取替えた後のメインインターフェースを表示する。
【００９９】
電子デバイスは、ディスプレイを用いて、第３表示信号に基づいて、カードエリアの全部或いは一部を取替えた後のメインインターフェースを表示する。
【０１００】
ステップ４０９とステップ４１０とを、ステップ４０４の後に実行してもよく、本実施例においては、ただ、これら二つのステップをステップ４０８の後に実行する例を挙げて説明したことを、説明する必要がある。
【０１０１】
上記により、本実施例によって提供するリソース表示方法によると、互いに異なるハードウェアインターフェースにより提供する各種のアプリケーションリソースを分類統合して、メインインターフェース内の互いに異なるカードエリアに表示することにより、スマートテレビ上テレビ以外の他のヘルパーアプリケーションをすべてメニューから提供するから、あるヘルパーアプリケーションを使用しようとする時の操作階層がより長いから、テレビ以外の他のアプリケーションの使用率が非常に低くなってしまう問題を解決して、互いに異なるカードエリア内のアプリケーションリソースを使用するのに必要な操作階層が同じになり、各種類のアプリケーションリソースの使用率が相対的に平均になった効果を得た。
【０１０２】
本実施例によって提供するリソース表示方法によると、メインインターフェースの一つのカードエリアが選択された後に、当該カードエリアの下位内容を表示し、また、当該カードエリアの下位内容を表示する時にリターン信号を受信した後に、いつも、幾つかのカードエリアが含まれたメインインターフェースにリターンすることにより、各々のカードエリアにより提供するアプリケーションリソースがユーザに選択されて使用される確率が平均になるようにして、各種類のアプリケーションリソースの使用率も相対的に平均になるようにする効果を得た。
【０１０３】
上記の本発明に係る実施例の番号は、ただ、記述するためのものであり、実施例の優劣を代表しない。
【０１０４】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、リードオンリーメモリ、磁気ディスク又は光ディスク等が挙げられると、理解するべきである。
【０１０５】
上述の内容は本発明の比較的適切な実施例に過ぎず、本発明を制限するものではなく、本発明の旨及び原則内で行う如何なる修正、同等の置換、改善等は本発明の保護範囲内に含まれる。
【国際調査報告】
2016507917.tif 000011
2016507917.tif 000012
2016507917.tif 000013
2016507917.tif 000014